(57)【要約】【課題】  アンテナ内蔵無線認識ＩＣチップを小さなタグにする方法および小さな物にタグを装着する方法を提供することにある。【解決手段】  糸状やテープの上にアンテナ内蔵無線認識ＩＣチップを固定し無線タグとする。また、ねじの頭に穴をあけ、アンテナ内蔵無線認識ＩＣチップを実装する。また、アンテナ内蔵無線認識ＩＣチップを実装した無線タグ（アンテナ内蔵無線タグ）を糸の上に実装して、そのアンテナ内蔵無線タグを糸と同じように、布に織り込んでいく。【選択図】図１
2008135034.tif 000002
【特許請求の範囲】
【請求項１】
電子基板や電子部品を組み立てる組み立て装置において、
前記電子部品がアンテナを内蔵した無線認識ＩＣチップを有し、
前記電子基板を組み立てるねじがアンテナを内蔵した無線認識ＩＣチップを有することを特徴とする組み立て装置。
【請求項２】
電子基板や電子部品を組み立てる組み立て装置を有する組み立てシステムにおいて、
前記電子部品がアンテナを内蔵した第１の無線認識ＩＣチップを有し、
前記電子基板を組み立てる際に使用したねじがアンテナを内蔵した第２の無線認識ＩＣチップを有し、
前記第１の無線認識ＩＣチップの識別情報と、前記第２の無線認識ＩＣチップの識別情報を管理するテーブルを有することを特徴とする組み立て支援システム。
【発明の詳細な説明】
【技術分野】
【０００１】
本発明は、特に非接触ＩＣチップにアンテナを内蔵した電子タグおよびその電子タグを装着した装置に関する。
【背景技術】
【０００２】
電子タグや無線タグは、主に物に装着してＩＤを使った自動認識や偽造防止を行うために使われていた。一般的に無線タグは、無線認識ＩＣチップに外部アンテナをつけた無線タグであり、外部アンテナが大きいため、無線タグ全体の形状が外部アンテナの分だけ大きくなったり、小さな物に無線タグを組込むことができなかった。そこで、装着する物が小さい場合は、無線タグも小さくする必要があるため、アンテナを内蔵した無線認識ＩＣチップが提唱されている（特許文献１参照）。
【０００３】
【特許文献１】特開2001-28037号公報
【発明の開示】
【発明が解決しようとする課題】
【０００４】
しかし、特許文献１に記載の無線タグに関しては、その無線タグを作成することおよび実際に小さい物へ無線タグを装着することは困難であるという問題がある。例えば、アンテナを内蔵した無線認識ＩＣチップ（アンテナ内蔵無線認識ＩＣチップ）を小さな物へ装着するには、小さな物にその無線タグを固定する必要がある。また、アンテナを内蔵した無線認識ＩＣチップは小さく、読取り範囲も狭いため、アンテナ内蔵無線認識ＩＣチップを実装した無線タグと読取装置のアンテナの位置をある一定の範囲内にあわせる必要がある。
【０００５】
本発明の目的は、アンテナ内蔵無線認識ＩＣチップを小さなタグにする方法および小さな物にタグを装着する方法を提供することである。本発明のもう一つの目的は、アンテナ内蔵無線認識ＩＣチップを実装した無線タグと読取装置のアンテナの位置を一定範囲にあわせるための方法を提供することである。
【課題を解決するための手段】
【０００６】
上記目的を達成するために本発明は、アンテナ内蔵無線認識ＩＣチップを小さなタグにする方法として、糸状やテープの上にアンテナ内蔵無線認識ＩＣチップを固定し無線タグとすることである。また、ねじの頭に穴をあけ、アンテナ内蔵無線認識ＩＣチップを実装する。また、小さな物にアンテナ内蔵無線認識ＩＣチップを実装した無線タグ（アンテナ内蔵無線タグ）を装着する方法の一つとして、糸の上に実装したアンテナ内蔵無線タグを糸と同じように、布に織り込んでいく。
【０００７】
また、上記のもう一つの目的を達成するために本発明は、アンテナ内蔵無線タグの位置を特定できるように、タグに形状を付ける。その形状の特徴に合うように読取装置のアンテナの形状を作る。
【発明の効果】
【０００８】
本発明によれば、アンテナを内蔵した無線認識ＩＣチップを物や部品に効率よく装着するためのタグを作成する方法を提供することができる。また、より読取りを効率よく行うことが可能となる。
【発明を実施するための最良の形態】
【０００９】
図１に無線タグ用のＩＣチップの構成を示す。非接触ＩＣチップ１０２は、アンテナからのアナログ信号を受けるＲＦ（Ｒａｄｉｏ  Ｆｒｅｑｕｅｎｃｙ）部１０４と電源生成部１０６、論理部１０８、メモリ部（記憶部）１１０からなる。アンテナ内蔵無線認識ＩＣチップは、図２に示すように、ＩＣチップ２０２の上に、内蔵アンテナ２０４を形成したチップである。非接触ＩＣチップ２０２は、接点を持たず、リーダライタからの電波を内蔵アンテナ２０４が受信し、電源の供給及びクロックをＩＣチップ内で生成し、データの送信を行う。
【００１０】
無線タグ用のＩＣチップの動作について図１を用いて説明する。リーダライタからの電波をＲＦ部１０４で受け、電源生成部１０６で電源に変え、ＩＣチップ全体の回路で使用する電源を生成する。ＲＦ部１０４で受けた電波からは、クロック成分を取り出し、ＩＣチップ全体の回路のクロックとして使用される。論理部１０８は、リーダライタから送られてきた指令に従い、処理を行う。メモリ部１１０は、ＩＣチップに記憶すべき情報、すなわち、商品を識別するための情報を格納する領域である。本発明の無線タグのＩＣチップとしては、メモリ部にＲＯＭが使われている物も使用する。ＲＯＭ型無線タグのデータは工場で製造時に書き込んでしまうため、顧客にタグがわたっても、そのデータを変更したりすることができない。書き込むことができない代わりに識別用のＩＤ以外に偽造防止の役割を果たすことができる。データを無線タグが読取装置に送る場合は、リーダライタから受取ったマイクロ波を電源として、ＲＦ部１０４を送信機として使い、メモリの内容を読取装置に送り返す。
【００１１】
図３は、糸にアンテナ内蔵無線認識ＩＣチップを実装したアンテナ内蔵無線タグである。糸３０２に結び目３０６を付け、結び目３０６にあわせて、アンテナ内蔵無線認識ＩＣチップ３０２を付け、外側からプラスチック３０６で多いタグとした物である。プラスチック３０６の形は、糸に接しているところは細くなるような流線型の形になっている。これは、糸を布に織り込む際に、他の糸に引っかかりにくくして、織り込みやすくするためである。図３を横から見た形状を図４に示す。糸４０４の結び目４０６にあわせて、アンテナ内蔵無線認識ＩＣチップ４０２を付け、外側からプラスチック４０８で固定した物である。図５は、アンテナ内蔵無線タグ５０４、５０６、５０８を一定間隔で実装した物である。
【００１２】
図５で示した糸状のアンテナ内蔵無線タグの作成方法を図６に示す。糸６０２の上に結び目作成装置６０４で結び目６０６、６０８を作成し、アンテナ内蔵無線タグ作成装置６１０でアンテナ内蔵無線タグ６１２、６１４を連続的に作成する。アンテナ内蔵無線タグ作成装置６１０での無線タグの作成方法を図７に示す。糸７０２につけられた結び目７０４、７０６にあわせて、アンテナ内蔵無線認識ＩＣチップ取り付け装置７１４でアンテナ内蔵無線認識ＩＣチップ７１０を接着する。その後、アンテナ内蔵無線タグ形成装置７１８で、プラスチックを型の中に流し込み、無線タグ７２０を作成する。
【００１３】
図７で形成した糸状のアンテナ内蔵無線タグを布状に織り込んだ実施例を図８に示す。図８は、布のおり込みラベル８０２を作る際に、一本の糸の代わりに、糸状のアンテナ内蔵無線タグを織り込んだものである。アンテナ内蔵無線認識ＩＣチップを糸状のアンテナ内蔵無線タグにすることにより、布を織る際に、糸の代わりに織り込むことができ、無線タグを効率的に装着することができる。アンテナ内蔵無線認識ＩＣチップを織り込まれた織り込みタグは、個品管理用のＩＤと本物性を示すＩＤとして使うことができる。
【００１４】
次に、細い棒状の先端にアンテナ内蔵無線認識ＩＣチップを実装した実施例を示す。図９は、マッチ針９０６の頭９０４の部分にアンテナ内蔵無線認識ＩＣチップ９０２を実装したアンテナ内蔵無線タグである。プラスチックでできている頭９０４の先端に、無線ＩＣチップを実装している。図１０の実施例は、虫ピン１００６の先端１００４にアンテナ内蔵無線認識ＩＣチップ１００２を実装したアンテナ内蔵無線タグである。実施例の図９と図１０のアンテナ内蔵無線認識ＩＣチップを実装したマッチ針や虫ピンは、針やピンを指したところにＩＤをつけるのに使うことができる。
【００１５】
図１１の実施例は、木ねじにアンテナ内蔵無線認識ＩＣチップをつけた実施例である。図１１の（１）は、木ねじを横から見た図である。木ねじ１１０６の頭１１０２の部分にアンテナ内蔵無線認識ＩＣチップ１１０４が実装されている。（２）は、木ねじの頭１１０２を上から見た図である。頭全体が１１１０であり、１１１４はプラスの溝の部分である。アンテナ内蔵無線認識ＩＣチップ１１１２は、木ねじの頭に掘られた穴１１０８に埋め込まれている。溝１１１４と穴１１０８の位置関係を一定にしておけば、ねじ回しの先端の形状のアンテナを持つ読取装置を作ることにより、アンテナ内蔵無線認識ＩＣチップ１１１２の読取りが容易になる。図１１の（３）は、木ねじの頭１１１０の部分の断面図である。木ねじの頭１１１６に掘られた穴１１１８は、はずれ止めがねじきりで掘られており、側面がでこぼこになっている。その穴１１１８の中に、アンテナ内蔵無線認識ＩＣチップ１１２０が実装される。チップを固定するためには、プラスチックや接着剤が使われる。穴１１１８の側面がでこぼこになっているため、接着性があがり、アンテナ内蔵無線認識ＩＣチップ１１２０が脱落しにくくなっている。
【００１６】
木ねじにアンテナ内蔵無線認識ＩＣチップを実装し、アンテナ内蔵無線タグとすることにより、木ねじを無線タグとして使うことができる。アンテナ内蔵無線タグである木ねじを木工の組み立てに使うことにより、組み立ての道具としての木ねじと使って、自動認識番号のＩＤを装着することができ、装着の手間が省ける。なお、本発明は、機械装置に使うねじでも同じであり、プラスではなくマイナスのねじにも有効である。アンテナ内蔵無線認識ＩＣチップを実装した機械用のねじであれば、機械を組み立てる際にＩＤをつけることができる。
【００１７】
図１２は、六角形の頭を持つねじでのアンテナ内蔵無線タグの実施例である。（１）は、ねじの断面図である。ねじ１２０８の先端に六角形の頭１２０２ついており、その真中にはずれ止めとして側面がでこぼこした穴１２０４があいておりおり、その中にアンテナ内蔵無線認識ＩＣチップ１２０６がプラスチックや接着剤などで実装されている。（２）は六角形の頭１２０２を上から見た図である。頭１２１０の真中に穴１２１２が掘られており、アンテナ内蔵無線認識ＩＣチップ１２１４が実装されている。六角形の頭の真中にあるためアンテナ内蔵無線認識ＩＣチップ１２１４の位置を特定することが容易となる。
【００１８】
図１３は、六角形の頭を持つねじでのアンテナ内蔵無線タグの作成方法の実施例である。六角形の頭を持つねじ１３０４の頭１３０２の部分に、ねじきり１３０６でねじ穴１３０８を作成する。そうすると、断面がでこぼこになる。その後ねじ穴１３０８にアンテナ内蔵無線認識ＩＣチップ１３１０をアンテナ内蔵無線認識ＩＣチップ実装装置１３１２で実装し、プラスチックあるいは接着剤で固定する。穴１３０８の側面がでこぼこしているため、固定した際にアンテナ内蔵無線認識ＩＣチップ１３１０がはずれにくくなっている。
【００１９】
図１４は、ラベルにアンテナ内蔵無線認識ＩＣチップを実装した実施例である。ラベル１４０２にアンテナ内蔵無線認識ＩＣチップ１４０４を貼付け、その上から円柱の保護材１４０６を貼り付けたアンテナ内蔵無線タグである。断面図は図１５のとおりである。ラベル１５０２の上にアンテナ内蔵無線認識ＩＣチップ１５０６が張付けられ、その上に保護材１５０４がのっているタグである。ラベル１５０２が小さくなった実施例が、図１６である。図１５のラベル１５０２が保護材１６０４と同じ大きさのラベル１６０２になった実施例である。図１４の実施例のようにラベルの上に円柱の保護材の真中にアンテナ内蔵無線認識ＩＣチップを置くことにより、リーダのアンテナを保護材にあわせることにより、アンテナ内蔵無線認識ＩＣチップとアンテナの位置関係をあわせのガイドとして使うことができ、アンテナ内蔵無線認識ＩＣチップのＩＤを効率よく読取ることができる。
【００２０】
図１７は、ラベルをテープ状にした実施例である。最初にテープに、アンテナ内蔵無線認識ＩＣチップを貼付け、保護材を貼付け、図１７の１７０２のテープを作成する。一定の間隔で、アンテナ内蔵無線認識ＩＣチップ１７０６や１７１０が貼り付け、その上から保護材１７０４、１７０８が貼り付けられたものである。使用する場合は、１７１２の位置で切断し使用する。図１７のテープを供給する場合は、図１８のように巻き取り梱包する。
【００２１】
図１９は、チューブの中にアンテナ内蔵無線認識ＩＣチップを実装した実施例である。図１９の（１）は、上から見たチューブである。チューブ１９０２の中にアンテナ内蔵無線認識ＩＣチップ１９０４、１９０６を実装である。ふくらみ１９０８、１９１０は、保護材をつけて膨らんだものである。このふくらみは、アンテナ内蔵無線認識ＩＣチップ１９０４、１９０６のリーダのアンテナの位置あわせをするためのガイドとして使用することができ、アンテナ内蔵無線認識ＩＣチップのＩＤを効率よく読取ることができる。図１９の（２）は、チューブ１９０２を横から見た図である。上からと同様に、ふくらみ１９０８と１９１０がある。
【００２２】
図２０は、図１９で示したチューブ状のアンテナ内蔵無線タグを作る方法の実施例の一つである。本実施例では、図５で示した糸状のアンテナ内蔵無線タグ２００６を使う。糸状のアンテナ内蔵無線タグが巻き取られたループ２００２から糸状のアンテナ内蔵無線タグ２００６を繰り出し、チューブの素材が熱で溶けている状態を保持している装置２００４に入れ、装置２００４の片側から、円形の繰り出し口と真中から糸状のアンテナ内蔵無線タグを繰り出すことにより、チューブ状のアンテナ内蔵無線タグ２００４を作る。アンテナ内蔵無線認識ＩＣチップが実装されている部分２００８、２０１０のふくらみはチューブが冷える時に収縮し、２０１６のふくらみを作成する。糸状のアンテナ内蔵無線タグと溶けたチューブの素材を連続的に繰り出しことにより、長いチューブ状のアンテナ内蔵無線タグを作成することができる。
【００２３】
図２１は、チューブ状のアンテナ内蔵無線タグを使用した実施例である。紙やプラスチックに実装した例である。長いチューブ状のアンテナ内蔵無線タグ２１０４を紙２１０２に貼付け、あるいは２枚の紙で張り合わせることにより、装着する。それを１枚ずつ切断すると図２２のような、１枚の紙状のアンテナ内蔵無線タグとなる。図２３は、長いケーブル２３０２にチューブ状のアンテナ内蔵無線タグ２３０４を装着した実施例である。ＩＴが進み、建物の中にはいろいろなケーブルが張り巡らされているが、複数のケーブルが入り乱れて張り巡らされているため、どのケーブルが何のためのケーブルかわからなくなっている。ケーブルに一定間隔のアンテナ内蔵無線認識ＩＣチップが実装されたチューブ状のアンテナ内蔵無線タグを貼り付けて配線することにより、ケーブルの途中でもアンテナ内蔵無線認識ＩＣチップのＩＤを読むことにより、何のためのケーブルか特定することがで、ケーブルの保守管理が容易になる。
【００２４】
図２４は、二つの物を組合せて使用するときの組合せの確認にアンテナ内蔵無線認識ＩＣチップのＩＤを使用する実施例である。一つの装置に同じような複数のケーブルを装着する際、どのケーブルをどのコネクターに差し込んでよいか、特定すること、確認することが困難である、通常は、ケーブルの方にあらかじめ番号が書かれた札をつけておき、その番号でどのコネクターに接続してよいか判断する。図２４の実施例では、ケーブル２４０２側のコネクター２４１０にアンテナ内蔵無線認識ＩＣチップ２４０４を付けておき、ケーブル２４０２を接続する装置２４０８側のコネクター２４１２にアンテナ内蔵無線認識ＩＣチップ２４０６を付けておく。最初に付ける際は、ケーブルの両端のコネクターにつけられているアンテナ内蔵無線認識ＩＣチップのＩＤを記録しておき、装置側のどのコネクターにつけるか、指定しておく。ケーブルをつなげる場合は、装置側のコネクターのとケーブルのそれぞれのアンテナ内蔵無線認識ＩＣチップのＩＤを確認して、つなぐ。この場合、二つのアンテナ内蔵無線認識ＩＣチップのＩＤを読み、指定されたＩＤであれば、正しい接続と判断する。一方、保守などで、ケーブルの接続の差し替えを行う場合は、変更された情報に従い、二つのアンテナ内蔵無線認識ＩＣチップのＩＤを読み、変更情報と一致していれば、接続が正しく変更されたとする。
【００２５】
図２５の実施例は、ケーブルの設置の確認を二つのアンテナ内蔵無線認識ＩＣチップのＩＤを読取ることにより、確認する実施例である。ケーブル２５０２にアンテナ内蔵無線認識ＩＣチップ２５０４が実装されたアンテナ内蔵無線タグ２５１０を装着する。２５０６および２５１２は、ケーブル２５０２を支えるフックである。ケーブルが正しいフックにかけられているかは、ケーブル２５０２のアンテナ内蔵無線認識ＩＣチップ２５０４とフック２５０６のアンテナ内蔵無線認識ＩＣチップ２５０８のＩＤを確認することにより判断する。指定されたＩＤであれば、正しいフックにかけられていると判断する。
【００２６】
図２６の（１）は、アンテナ内蔵無線認識ＩＣチップを使って、装置に別の部品を取り付ける際に、正しい部品を取り付けたことを確認する実施例である。装置２６０２にアンテナ内蔵無線認識ＩＣチップ２６０４を付けておき、その装置に接続する部品２６０８にアンテナ内蔵無線認識ＩＣチップ２６０６を付けておき、二つのアンテナ内蔵無線認識ＩＣチップのＩＤがあらかじめ定められたＩＤであれば、ただし部品がつけられたと判断する。図２６の（２）の実施例は、装置を組合せる際に、アンテナ内蔵無線認識ＩＣチップのＩＤがあらかじめ定められたＩＤであれば、正しく付けられていると判断する。例えば、２６１０と２６１８の装置を特定して組合せる必要があり、他の組合せでは、使用上問題である場合に、本発明は適している。
【００２７】
図２７は、球形のアンテナ内蔵無線タグの実施例である。アンテナ内蔵無線認識ＩＣチップ２７０４を球形のプラスチックのような保護材２７０２に入れたものである。この球形のアンテナ内蔵無線タグの応用例の一つは、粉状の物に混ぜ込むことである。例えば、セメントのような物であれば、どこのセメント２８０２であるかを特定する際に、アンテナ内蔵無線タグ２８０４、２８０６のＩＤを使用することができる。また、爆発物の中に混入させ、爆発した後に、この球形のアンテナ内蔵無線タグを探して取り出すことにより、どの爆発物の物であるか特定することができる。爆発物に入れる場合は、アンテナ内蔵無線タグ２９０２の外側に、保護のためと爆発後の速度を落とすためにクッション材２９０４を付けることもある。
【００２８】
図３０は、薄い紙にアンテナ内蔵無線認識ＩＣチップを実装した実施例である。図３０の（１）は、紙に実装した断面図である。紙３００２に、アンテナ内蔵無線認識ＩＣチップ３００４を接着剤３００６で貼り付けたものである。図３０の（２）は、上から見た図である。アンテナ内蔵無線認識ＩＣチップは厚みを持っているため、アンテナ内蔵無線認識ＩＣチップを実装した部分が厚くなるため、紙にへこみを入れるほうが望ましい。図３１は、紙にへこみをする実施例である。紙３１０２にドリル３１０６でへこみ３１０４を作る。そこに、アンテナ内蔵無線認識ＩＣチップを入れ、接着剤で固定する。へこみの作り方は、穴をあける以外に、強く型で押し、へこみを作る。また、パルプから紙を作る際に、あらかじめパルプの量を薄くする部分を作っておき、へこみができるようにする。
【００２９】
図３２は、ダイオードパッケージの上あるいは中に、アンテナ内蔵無線認識ＩＣチップを実装した実施例である。ダイオード３２０２は、ピン３２０６を持ち、基板にはんだ付けして固定する。ダイオードのパッケージにアンテナ内蔵無線認識ＩＣチップ３２０４を実装する。アンテナ内蔵無線認識ＩＣチップとピン３２０６は接続されておらず、ピン３２０６は、アンテナ内蔵無線認識ＩＣチップが実装されたパッケージを固定するための物である。図３３は、電子装置を組み立てる基板で用いられる小型の抵抗である。抵抗のパッケージ３３０２の上にアンテナ内蔵無線認識ＩＣチップ３３０４を実装する。ダイオードや抵抗の形状のアンテナ内蔵無線タグにすることにより、アンテナ内蔵無線認識ＩＣチップを電子機器用の基板３４０２に実装する際、他の電子部品の実装機と同じ装置を使って、ダイオードや抵抗の形状のアンテナ内蔵無線タグ３４０４、３４０６を基板上に実装でき、アンテナ内蔵無線認識ＩＣチップを実装するコストが安くなる利点がある。
【００３０】
図３５は、ガラスやプラスチックでできた試験管３５０２の底にアンテナ内蔵無線認識ＩＣチップ３５０４が実装した実施例である。先端の部分を拡大すると図３６のようになる。試験管３６０２の先端はへこみ３６０６があり、その中にアンテナ内蔵無線認識ＩＣチップ３６０４が埋め込まれ、接着剤などで固定されている。へこみをつけることにより、試験管の底をテーブルんだおにつけても、力がアンテナ内蔵無線認識ＩＣチップにかからず、アンテナ内蔵無線認識ＩＣチップが壊れにくいという利点がある。試験管の底のアンテナ内蔵無線認識ＩＣチップは試験管のＩＤとして使われる。このＩＤは、血液駅検査などの一部の検査では光学で検査を行うため、ラベルを貼ると光学検査ができにくくなり、光学検査の邪魔ならないという利点がある。
【００３１】
図３７は、弾丸上のアンテナ内蔵無線タグの実施例である。弾丸３７０２にアンテナ内蔵無線認識ＩＣチップ３７０４を実装した物である。弾丸３７０２には、はずれ止めがついており、簡単にタグがはずれないようになっている。この応用例としては、図３８に示すように金魚や鯉のＩＤとして弾丸中のアンテナ内蔵無線認識タグを装着する。金魚や鯉など識別が困難な物のＩＤとして使用する。
【００３２】
図３９は、アンテナ内蔵無線認識ＩＣチップ３９０２をプラスチック３９０４で保護し、取り付け用の装着部３９０６を取り付けた実施例である。装着部は、裏側からアンテナ内蔵無線認識タグが落ちないように固定するためのものである。図４０に示すように魚につけたり、図４１に示すように服につけたりするために使用する。
【００３３】
図４２は、アンテナ内蔵無線認識タグ４２０２の中にアンテナ内蔵無線認識ＩＣチップ４２０４が入ったものである。アンテナ内蔵無線認識ＩＣチップを覆っている保護剤は、圧着あるいは熱圧着を加えられると、接着剤が出たり、保護材が軟化する。軟化した状態を図４３に示す。装着する物４３０４の上に接着剤が溶け出し、アンテナ内蔵無線認識ＩＣチップを４３０４の上に固定する。
【００３４】
図４４は、アンテナ内蔵無線認識ＩＣチップ４４０４をボタン４４０２に実装した物である。ボタンを服につけることにより、自動的にアンテナ内蔵無線認識ＩＣチップが装着され、ＩＤとして使うことができる。
【００３５】
図４５は、ビンのふたにアンテナ内蔵無線認識ＩＣチップをつけた実施例である。ビン４５０６のふた４５０４にくぼみ４５０２を付け、その中にアンテナ内蔵無線認識ＩＣチップを実装する。図４６は、ビンのふたの断面図である。ビンのふた４６０６にくぼみをつけ、その中にアンテナ内蔵無線認識ＩＣチップ４６０４を埋め込み、接着剤４６０２で固定する。くぼみの部分４６０８は、リーダ装置のアンテナとの位置あわせ用のガイドに使用し、アンテナ内蔵無線認識ＩＣチップのＩＤを効率よく読取ることができる。なお、はずれ止めとしてくぼみの側面を凹凸にすると、接着剤の接着強度を増すことができる。
【００３６】
図４７は、リーダ装置の実施例である。アンテナ部４７０４は、アンテナ内蔵無線認識ＩＣチップのＩＤを読取る物である。ボタン４７１０は、読取り指示を行ったり、データを入力するために使用する。表示画面４７０８は、読取った結果や処理した結果を表示する部分である。読取装置４７０２は、ＰＤＡのような携帯機器にアンテナ部４７０４を装着した装置である。４７０６はアンテナを取り付けるための取り付け部で、リーダ装置４７０２にはいろいろなアンテナを装着できる。
【００３７】
図４８のアンテナ４８０４は、図１４のラベル状のアンテナ内蔵無線タグ１４０２を読むためのアンテナである。アンテナにへこみ４８０２と４８０６がある。これは、アンテナ内蔵無線認識ＩＣチップ１４０４の保護材１４０６に合うようにへこみが作られている。へこみ４８０６の大きさは、保護材１４０６の大きさと同じである。４８０８は、リーダ装置４７０２へのアンテナの取り付け部である。
【００３８】
図４９は、アンテナ４８０４をリーダ装置４７０２に装着した実施例である。リーダ装置の本体４９０６にアンテナ４９０２が取り付け部４９０４に取り付けられている。アンテナ４９１４のへこみの４９１６は、アンテナ内蔵無線認識ＩＣチップ４９１０をラベル状のタグ４９１２に実装した保護材４９０８の形状と整合するようになっており、リーダのアンテナ４９１４をラベル状のアンテナ内蔵無線タグ４９１２に滑らせて動かせば、へこみ４９１６と保護材４９０８の出っ張りが合い、自然とアンテナ内蔵無線認識ＩＣチップ４９１０とアンテナ４９０２の内部の読取り部４９１４と位置が一致するようになっている。そのため、アンテナ内蔵無線認識ＩＣチップの読取り範囲が小さくても、読取りを簡単に行うことができるようになる。
【００３９】
図５０は、図１１の木ねじ状のアンテナ内蔵無線タグ１１０２のリーダ装置である。リーダ装置の本体５００２は、図４７のリーダ装置の本体部分と同じである。５００４はアンテナの取り付け部である。アンテナ５００６には、木ねじの溝に合うようにガイド部５０１０がついており、木ねじ状のアンテナ内蔵無線タグ１１０２の溝の１１１４にガイド５０１０を際しこむと、リーダの読取り部５００８とアンテナ内蔵無線認識ＩＣチップ１１０８とが一致する。こうすることにより、アンテナ内蔵無線認識ＩＣチップのＩＤを簡単に読むことができる。
【００４０】
図５１は、アンテナ内蔵無線認識ＩＣチップのＩＤのフォーマットの実施例である。サービス識別子５１０４は、サービスごとにユニークな識別子である。例えば、Ｘブランドの男性用スーツを一つのサービスと考えれば、Ｘブランドの男性用スーツには同じサービス識別子が割り振られる。もし、Ｘブランドに女性用スーツがあれば、それには、別のサービス識別子を割り振ることになる。しかし、Ｘブランドでスーツを一つのサービスと考えれば、男性用スーツも女性用スーツも同じサービス識別子となる。ユニーク番号５１０６は、サービス識別子ごとにユニークになる番号で、一般には連続番号を用いる。ユニーク番号で、サービスの中の個品を識別する。サービス識別子とユニーク番号で、アンテナ内蔵無線認識ＩＣチップのＩＤ５１０２はユニークになるようになっている。そのため、個品管理以外に本物性を示すＩＤとしても使用することができる。
【００４１】
＜ケーブルを利用した実施例＞
図５２は、図２４のケーブルと装置の接続をアンテナ内蔵無線認識ＩＣチップを使って、正しく接続するための装置の構成図である。装置Ａ  ５２０８と装置Ｂ  ５２２０のそれぞれのコネクター５２２２や５２２４を予め定められた接続規則に基づいてケーブル５２１４で接続することが目的である。
【００４２】
装置Ａ ５２０８、装置Ｂ ５２２０が備える各コネクターには、コネクターを識別する名称（Ａ１、Ａ２、Ｂ１、Ｂ２など）が与えられ、各コネクターの名称に対応しコネクターを一意に識別するコネクターＩＤを格納したアンテナ内蔵無線認識ＩＣチップが付されている。例えば、コネクター５２２２にはアンテナ内蔵無線認識ＩＣチップ５２１０が付けられている。
【００４３】
ケーブルには、各ケーブルを識別する情報としてケーブル番号が付され、各ケーブルの両端の端子には、各端子を一意に識別する端子ＩＤを格納したアンテナ内蔵無線認識ＩＣチップが付けられている。例えばケーブル５２１４には、アンテナ内蔵無線認識ＩＣチップ５２１２と５２１６が付けられている。
【００４４】
リーダ装置５２０６は装置とケーブルの接続を管理しているサーバー５２０２にケーブルあるいは無線５２０４などの通信回線で接続されている。リーダ装置５２０６はアンテナ内蔵無線認識ＩＣチップを読取るためのアンテナ５２２２を備え、装置のコネクターやケーブルの端子につけられているアンテナ内蔵無線認識ＩＣチップのＩＤを読むことができる。
【００４５】
図５３は、装置Ａ５２０８と装置Ｂ５２２０のそれぞれのコネクター５２２２や５２２４を、予め定められた接続規則に基づいてケーブル５２１４で接続するためのリーダ装置５２０６とサーバー５２０２との間のデータのやり取りおよび処理の流れを示す図である。以下、図５３を用いて適宜他の図を用いながら本処理について説明する。
【００４６】
サーバー５３０４は装置のコネクターの番号とコネクターＩＤの情報をリーダ５３０２に通知する（５３０６）。装置のコネクターの番号とコネクターＩＤの情報は図５５に示すケーブル接続テーブルであり、装置ＡのコネクターにはＡ１からＡ３までの番号を持つコネクターがあり、それぞれには、２３１、３４３、１２０というコネクターＩＤを持つアンテナ内蔵無線認識ＩＣチップが付けられている。また、装置ＢのコネクターにはＢ１からＢ３までの番号を与えられたコネクターがあり、それぞれには、２６６、３４、８９２というコネクターＩＤを持つアンテナ内蔵無線認識ＩＣチップが付けられている。
【００４７】
コネクターＩＤは、ユニークな番号であれば良く、図５１のデータフォーマットの形式のように、サービス識別子５１０４とユニーク番号５１０６を含んでも良い。サービス識別子５１０４とは、企業単位の識別子や企業内部でのＩＤ利用形態単位での識別子など、ＩＤを利用したサービスを識別して管理する単位での識別子である。ユニーク番号５１０６は少なくとも同一サービス識別子に対してユニークな識別子である。
【００４８】
次に、リーダ５３０２は、サーバー５３０４から使用するケーブル番号とその端子の端子ＩＤの情報を得る。ケーブル番号とその端子のＩＤの情報は、図５４に示すように、ケーブル番号と端子１と端子２のアンテナ内蔵無線認識ＩＣチップのＩＤ番号の組が示された情報である。これらの情報は、装置やケーブルの設計情報として入手することもできる。
【００４９】
リーダ５３０２は、コネクターとケーブルの接続がされると、ケーブル接続テーブル５５０２に、ケーブル番号５５０８、端子ＩＤ５５１０、端子ＩＤ５５１２の情報を書き込む（５３１０）。５３１０の処理の詳細を図５６に示す。
【００５０】
リーダ５２０６は、装置Ａのコネクターにケーブル端子１が接続されると（５６０２）、装置ＡのコネクターのコネクターＩＤとケーブル端子１の端子ＩＤとをそれぞれに付されたアンテナ内蔵無線認識ＩＣチップから読取る（５６０４）。ケーブルの番号とケーブル端子１のＩＤのデータを図５５のテーブル５５０２に書き込む（５６０６）。装置Ａ側のコネクターにケーブルをつないだ状態では、図５７のテーブルの内容となる。本実施例で、ケーブルの番号は必須ではない。
【００５１】
次に、装置Ｂの一つのコネクターのアンテナ内蔵無線認識ＩＣチップのＩＤを読取る（５６０８）。図５７のテーブルと図５４のテーブルからコネクターに接続すべき正しいケーブルを見つける（５６１０）。装置Ａ側のコネクターＡ１に装置Ｂ側のコネクターＢ２をケーブルでつなぎたい場合は、図５７のテーブルから装置Ａ側のコネクターＡ１にどのケーブルが接続されているかわかり、そのケーブルの端子２の端子ＩＤを図５４の端子の対応表のテーブルから見つけることができ、その端子ＩＤを持つ端子２を装置Ｂ側のコネクターＢ２に差し込めばいいことがわかる。
【００５２】
こうしてわかったケーブルの端子２をそのコネクターＢ２に差し込む（５６１２）。そのコネクターとケーブル端子２のＩＤを読取る（５６１４）。そして、それらのＩＤを図５７のテーブルに書く（５６１６）。その結果、図５７のテーブルは図５８のテーブルのようになり、この結果をサーバーに送り返す（５３１０）。
【００５３】
装置のコネクターとケーブルの端子にアンテナ内蔵無線認識ＩＣチップを付けＩＤを持たせることにより、装置のコネクター同士を正しくつけることが可能となる。これは、ケーブルの設置以外に保守のときにも有効である。本発明は、装置間のコネクターをケーブルでつなぐ以外に、柱と梁を正しくつけるような応用にも適用することができる。
【００５４】
図５６のフローチャートのステップのうち、少なくとも５６０４、５６０６、５６０８、５６１４、５６１６はリーダ５２０６の動作である。本実施例では、ステップ５６０２、５６１０、５６１２を人の動作として説明したが、装置によって実現しても良い。また、ステップ５６１２、５６１４、５６１６を実行しなくても、接続先の端子とコネクターの組を知ることはできるが、実行した場合さらに、ステップ５６１４で読取られた端子ＩＤとコネクターＩＤの組合せが規則に反するとき、リーダ５２０６は、エラーメッセージを音や画面表示などによりユーザに通知することができる。
【００５５】
ケーブルが接続されたことを検知することができるケーブルであった場合、さらに付加的な機能を備えることができる。以下にこの例について説明する。
【００５６】
装置Ａ５２０８および装置Ｂ５２２０は通信回線を介してサーバー５２０２と接続されており、装置Ａ５２０８または装置Ｂ５２２０は、ケーブルが接続された場合にサーバー５２０２へ、接続されたケーブル端子とコネクターのケーブル端子ＩＤとコネクターＩＤを接続情報として通知する。サーバー５２０２は、受信した接続情報を接続状況情報として記憶装置に格納する。
【００５７】
リーダー５２０６は定期的にまたは明示的な操作者からの指示によりサーバー５２０２に接続状況情報を問合せ、サーバは問合せに対して接続状況情報をリーダー５２０６に送信する。リーダー５２０６は、受信した接続状況情報を記憶部に格納する。
【００５８】
リーダ５２０６は、格納された接続状況情報と接続読取テーブル５５０２に格納された端子ＩＤおよびコネクターＩＤの読取状況に基づいて２種類のエラーメッセージを出力する。出力はリーダー５２０６の表示画面への表示および／または音の発生による。１つのエラーメッセージは、接続状況情報において接続されていることが示されているケーブル端子とコネクターの組合せが接続読取テーブル５５０２に格納されていない場合である。これにより、ＩＤの読み落としを防ぐことができる。もう１つのエラーメッセージは、接続読取テーブル５５０２に格納されている端子ＩＤとコネクターＩＤの組が接続状況情報に格納されていない場合である。これにより接触不良などの接続ミスを検知できる。
【００５９】
＜電子基板を利用した実施例＞
図59〜67を使って、図１１のアンテナ内蔵無線認識ＩＣチップを内蔵したねじと図３２のアンテナ内蔵無線認識ＩＣチップを内蔵したＩＣパッケージを用いた部品の個品管理の実施例を示す。
【００６０】
図５９は、本実施例のハードウェア構成図である。本実施例では、記憶装置を備えたサーバー５９０２が、リーダ５９０８を備える実装機５９０６とケーブルや無線などの通信回線で接続されている。記憶装置には図６４に示す部品装着テーブル６３０２が格納されている。電子基板５９１０には、電子部品５９１２、５９１６が装着されており、電子部品５９１２、５９１６にはそれぞれ、部品を識別する部品ＩＤを格納したアンテナ内蔵無線認識ＩＣチップ５９１４、５９１８が付されている。電子基板５９１０に電子部品５９１２、５９１６を装着するには、実装機５９０６で基板に実装する。
【００６１】
図６２を用い、適宜他の図を参照しながら、本実施例の処理の流れを説明する。
実装する際、実装機に付けられたリーダ５９０８でアンテナ内蔵無線認識ＩＣチップ５９１２、５９１８の部品ＩＤをアンテナ内蔵無線認識ＩＣチップから読み取り、読取った部品ＩＤをサーバー５９０２に通知する（６２０２）。
【００６２】
図６４に示すようにサーバー５９０２は、部品装着テーブル６３０２に部品ＩＤ６４０８と部品ＩＤ６４１０とを書き込む。このように電子部品を取り付ける場合に、ＩＤの読取りも行うことができ、電子基板の個品管理が容易にできるようになる。
【００６３】
次に、図５９の電子基板５９１２は図６０の装置の一部として組込まれる。組込む際、アンテナ内蔵無線認識ＩＣチップがついたねじ６０１２で取り付ける。取り付けの際に、ねじ回しにつけられた読取装置でねじのＩＤ番号を読取る。これにより、電子基板５９１２に製造番号を別に書き込まなくても、ねじ止めと一緒に製造番号に相当するＩＤを取り付けることができる。ねじ回しは通信回線を介してサーバー５９０２と接続されている。取り付けたねじのＩＤや製造情報はサーバー５９０２に伝えられる（６２０２）。サーバー５９０２の図６４のテーブルのねじＩＤの欄６５０８に読み込んだＩＤが書き込まれる。
【００６４】
装置６００２は、ラック６１０２に組込み装置６１０４として組込まれる。装置６１０４を保守する場合、装置の製造情報が入手できると、効率的な修理などができる。製造情報を入手するには、リーダ６６０６で６１０６のねじのアンテナ内蔵無線認識ＩＣチップのＩＤを読取り、サーバー６６０２にねじのＩＤを伝え（６７０６）、サーバーから製造情報や主要部品のＩＤなどの情報を入手する（６７０６）。ねじ６１０６に装置の個品番号に対応するＩＤ番号がついているため、個品ごとの製造情報が入手できる。また、図６１の装置に組込まれた状態でも前面などからＩＤを読取ることができ、装置６１０４をラックからはずしたりしなくても、製造番号などの情報を入手することができる。
【００６５】
本発明を実施する他の態様を以下に示す。
（１）糸に、１つあるいは複数のチップ上にアンテナを内蔵した無線認識ＩＣチップを装着し、それぞれのチップを保護材で固定したことを特徴とするタグ。
（２）（１）のタグにおいて、保護材の端が流線型になっていることを特徴とするタグ。
（３）（１）または（２）のタグにおいて、糸に滑り止めを施したことを特徴とするタグ。
（４）（３）のタグにおいて、糸に滑り止めを施こすことを糸の結び目を利用したことを特徴とするタグ。
（５）棒状のものに、棒状の先端にアンテナを内蔵した無線認識ＩＣチップを実装したことを特徴とするタグ。
（６）（５）において、アンテナを内蔵した無線認識ＩＣチップを実装した反対側の先端に取り付けするための取り付け部を持つことを特徴とするタグ。
（７）（６）において、取り付け部が細くなっており、マッチ針あるいはくぎの形であることを特徴とするタグ。
（８）（６）において、取り付け部にねじ切りがされており、ねじの形であることを特徴とするタグ。
（９）（５）から（８）のいずれかにおいて、アンテナを内蔵した無線認識ＩＣチップを実装するために、はずれ止めがあることを特徴とするタグ。
（１０）（９）において、はずれ止めが、ねじきりで実現されていることを特徴とするタグ。
（１１）テープに、１つあるいは複数のチップ上にアンテナを内蔵した無線認識ＩＣチップを装着したことを特徴とするタグ。
（１２）（１１）において、薄いプラスチックの覆いがチップ上にアンテナを内蔵した無線認識ＩＣチップのデータを読むためのリーダ装置のためのガイド部を持つことを特徴とするタグ。
（１３）チューブ状の中に、１つあるいは複数のチップ上にアンテナを内蔵した無線認識ＩＣチップを装着したことを特徴とするタグ。
（１４）（１３）のタグにおいて、チップ上にアンテナを内蔵した無線認識ＩＣチップを装着した位置に、チップ上にアンテナを内蔵した無線認識ＩＣチップのデータを読むためのリーダ装置のためのガイド部を持つことを特徴とするタグ。
（１５）組合せて使用する装置において、組合せる装置の組合せる近くに、一定の間隔でチップ上にアンテナを内蔵した無線認識ＩＣチップを組み込んだ装置。
（１６）（１５）において、組合せて使用する装置がケーブルで、コネクター部にチップ上にアンテナを内蔵した無線認識ＩＣチップを組み込んだケーブル。
（１７）ラベルの裏側にチップ上にアンテナを内蔵した無線認識ＩＣチップを組み込んだタグ。
（１８）（１７）のタグにおいて、ラベル上にリーダ用のアンテナの位置合わせを行うためのガイド部がついているタグ。
（１９）チップ上にアンテナを内蔵した無線認識ＩＣチップを組み込んだ球状のタグ。
（２０）（１９）のタグを混入させた爆発物。
（２１）紙に穴を形成し、チップ上にアンテナを内蔵した無線認識ＩＣチップを装着したことを特徴とする紙。
（２２）（２１）において、穴を形成する手段として紙を削ることを特徴とする紙。
（２３）ＩＣあるいはダイオードあるいは抵抗のパッケージに、チップ上にアンテナを内蔵した無線認識ＩＣチップを組み込んだことを特徴としたタグ。
（２４）ガラスのビンあるいは試験管、アンプルの底に、チップ上にアンテナを内蔵した無線認識ＩＣチップを組み込んだことを特徴としたタグ。
（２５）（２４）のタグにおいて、底くぼみをつけ、くぼみの中にチップ上にアンテナを内蔵した無線認識ＩＣチップを組み込んだことを特徴としたタグ。
（２６）弾丸上の形状のものに、チップ上にアンテナを内蔵した無線認識ＩＣチップを組み込んだことを特徴としたタグ。
（２７）細い円柱、四角柱のプラスチックにチップ上にアンテナを内蔵した無線認識ＩＣチップを組み込み、固定する装着部を付けたタグ。
（２８）細い円柱、四角柱のプラスチック内に接着剤が組み込まれており、圧着あるいは熱圧着されると接着剤が出ることを特徴とするタグ。
（２９）ボタンに、チップ上にアンテナを内蔵した無線認識ＩＣチップを組み込んだことを特徴としたタグ。
（３０）ふたにチップ上にアンテナを内蔵した無線認識ＩＣチップを組み込み、ガイドがついていることを特徴とした容器。
（３１）リーダ装置のアンテナとアンテナを内蔵した無線認識ＩＣチップとの位置あわせを行うためのガイド部がアンテナについてことを特徴とするアンテナを内蔵した無線認識ＩＣチップを読取る読取装置。
【００６６】
なお、上記（８）においては、ねじ状の無線タグにすることにより、組み立てに使用するねじとしても使うことにより、無線タグの装着が組み立てと兼用でき、装着コストを減らすことができる。また、ねじ状のタグであれば、読取装置のアンテナの形状をねじ回しの先端の形状にすることにより、容易にアンテナ内蔵無線認識チップとの位置あわせが容易になる。さらに、タグをねじの先端の形状とすることにより、アンテナ内蔵無線タグの場所を容易に特定できることができる。
【００６７】
また、タグを糸に織り込むことにより、通常の布を織る過程で無線タグを装着することができる。
【図面の簡単な説明】
【００６８】
【図１】本発明の一実施例であるアンテナ内蔵無線認識ＩＣチップの構成図である。
【図２】アンテナ内蔵無線認識ＩＣチップの内蔵アンテナの形態を示す図である。
【図３】糸状のアンテナ内蔵無線タグの構成を示す図である。
【図４】図３の実施例の糸状のアンテナ内蔵無線タグを横から見た構成を示す図である。
【図５】糸状のアンテナ内蔵無線タグが糸に複数実装された形態を示す図である。
【図６】糸状のアンテナ内蔵無線タグの製造方法を示す図である。
【図７】糸状のアンテナ内蔵無線タグの製造方法でのアンテナ内蔵無線認識ＩＣチップ、保護材を装着する方法を示す図である。
【図８】糸状のアンテナ内蔵無線タグを布に織り込んだ実施例を示す図である。
【図９】アンテナ内蔵無線認識ＩＣチップをマッチ針の頭に装着した、マッチ針状のアンテナ内蔵無線タグの実施例を示す図である。
【図１０】アンテナ内蔵無線認識ＩＣチップを虫ピンの頭に装着した、虫ピン状のアンテナ内蔵無線タグの実施例を示す図である。
【図１１】アンテナ内蔵無線認識ＩＣチップを木ねじの頭に装着した、木ねじ状のアンテナ内蔵無線タグの実施例を示す図である。
【図１２】アンテナ内蔵無線認識ＩＣチップをねじの頭に装着した、ねじ状のアンテナ内蔵無線タグの実施例を示す図である。
【図１３】ねじ状のアンテナ内蔵無線タグの製造方法の実施例を示す図である。
【図１４】アンテナ内蔵無線認識ＩＣチップをラベルに装着した、ラベル状のアンテナ内蔵無線タグの実施例を示す図である。
【図１５】図１４のラベル状のアンテナ内蔵無線タグを横から見た図である。
【図１６】ラベル状のアンテナ内蔵無線タグで張付けるラベルの部分が小さい実施例を示す図である。
【図１７】ラベル状のアンテナ内蔵無線タグが連続的につながった実施例を示す図である。
【図１８】連続的につながったラベル状のアンテナ内蔵無線タグがロール上になった梱包形態を示す図である。
【図１９】チューブの中にアンテナ内蔵無線認識ＩＣチップを実装した、チューブ状のアンテナ内蔵無線タグの実施例を示す図である。
【図２０】チューブ状のアンテナ内蔵無線タグの製造方法の実施例を示す図である。
【図２１】チューブ状のアンテナ内蔵無線タグを紙に貼り付けた実施例を示す図である。
【図２２】図２１のチューブ状のアンテナ内蔵無線タグを紙に貼り付けたものを１枚ずつ切り離した形態を示す図である。
【図２３】チューブ状のアンテナ内蔵無線タグをケーブルに貼り付けた形態を示す図である。
【図２４】ケーブルと装置のコネクターにアンテナ内蔵無線認識ＩＣチップを実装した実施例を示す図である。
【図２５】ケーブルとケーブルの支持器にアンテナ内蔵無線認識ＩＣチップを実装した実施例を示す図である。
【図２６】電子基板と電子部品にアンテナ内蔵無線認識ＩＣチップを実装した実施例を示す図である。
【図２７】アンテナ内蔵無線認識ＩＣチップを球状の保護材で覆い、球状のアンテナ内蔵無線タグの実施例を示す図である。
【図２８】図２７の球状のアンテナ内蔵無線タグを粉状の物質に混入させた実施例である。
【図２９】球状のアンテナ内蔵無線タグの外側に緩衝材をつけた実施例を示す図である。
【図３０】紙にアンテナ内蔵無線認識ＩＣチップを実装した紙状のアンテナ内蔵無線タグの実施例を示す図である。
【図３１】紙状のアンテナ内蔵無線タグを製造するために、アンテナ内蔵無線認識ＩＣチップを実装するための穴をあける製造方法を示した図である。
【図３２】ダイオードパッケージにアンテナ内蔵無線認識ＩＣチップを実装した、ダイオード形状のアンテナ内蔵無線タグの実施例を示す図である。
【図３３】電子部品である抵抗にアンテナ内蔵無線認識ＩＣチップを実装した、抵抗の形状のアンテナ内蔵無線タグの実施例を示す図である。
【図３４】ダイオード形状のアンテナ内蔵無線タグおよび抵抗の形状のアンテナ内蔵無線タグを電子基板に装着した形態を示す図である。
【図３５】ガラスの試験管の底にアンテナ内蔵無線認識ＩＣチップを実装した、試験管状のアンテナ内蔵無線タグの実施例を示す図である。
【図３６】図３５のガラスの底の先端を拡大した実施例を示す図である。
【図３７】アンテナ内蔵無線認識ＩＣチップを実装した弾丸状のアンテナ内蔵無線タグの実施例を示す図である。
【図３８】弾丸状のアンテナ内蔵無線タグを生物に装着した形態を示す図である。
【図３９】アンテナ内蔵無線認識ＩＣチップを保護材で覆った物に、取り付け治具を付けたアンテナ内蔵無線タグの実施例を示す図である。
【図４０】取り付け治具を付けたアンテナ内蔵無線タグを生物に装着した形態を示す図である。
【図４１】取り付け治具を付けたアンテナ内蔵無線タグを服に装着した形態を示す図である。
【図４２】アンテナ内蔵無線認識ＩＣチップを圧着あるいは熱圧着すると接着性が出る保護材に覆われたアンテナ内蔵無線タグの実施例を示す図である。
【図４３】圧着あるいは熱圧着すると接着性が出る保護材に覆われたアンテナ内蔵無線タグを圧着して装着した形態を示す図である。
【図４４】アンテナ内蔵無線認識ＩＣチップを実装したボタン状のアンテナ内蔵無線タグの実施例を示す図である。
【図４５】ビンにアンテナ内蔵無線認識ＩＣチップを実装した実施例を示す図である。
【図４６】図４５のビンのふたに、アンテナ内蔵無線認識ＩＣチップを実装する方法を示した図である。
【図４７】リーダ装置の実施例を示す図である。
【図４８】リーダ装置のガイド付のアンテナの実施例を示す図である。
【図４９】ガイド付のアンテナを付けたリーダ装置の実施例を示す図である。
【図５０】ねじ回しの溝にはまるガイド付のアンテナを付けたリーダ装置の実施例を示す図である。
【図５１】アンテナ内蔵無線認識ＩＣチップのＩＤフォーマットの実施例を示す図である。
【図５２】装置のコネクターとそれらに接続されるケーブルの端子にアンテナ内蔵無線認識ＩＣチップを使ってケーブルを接続する実施例を示す図である。
【図５３】図５２のリーダとサーバーとの間の処理の実施例を示す図である。
【図５４】ケーブル番号と、ケーブルの端子につけられたアンテナ内蔵無線認識ＩＣチップのＩＤ番号の対応を示すテーブルである。
【図５５】接続する装置のそれぞれのコネクターの名称とコネクターにつけられたアンテナ内蔵無線認識ＩＣチップのＩＤ番号の対応関係を示すテーブルをである。
【図５６】リーダ装置での装置のコネクターをケーブルでつなぐ処理フローの実施例を示す図である。
【図５７】図５５のテーブルにおいて、ケーブルの端子の一つを装置Ａにつなげて、ケーブル端子１のＩＤ番号を書きこんだ状態のテーブルを示す図である。
【図５８】図５７のテーブルにおいて、ケーブルの端子を装置Ｂにつなげて、ケーブル端子２のＩＤ番号を書きこんだテーブルを示す図である。
【図５９】電子基板にアンテナ内蔵無線認識ＩＣチップがついた電子部品を装着する装着システムを示した実施例である。
【図６０】アンテナ内蔵無線認識ＩＣチップがついた電子部品を装着した電子基板を、アンテナ内蔵無線認識ＩＣチップがついたねじで装置として組み立てた装置を示した図である。
【図６１】図６０の装置をさらに、ラックに組み立てたことを示す図である。
【図６２】図５９の装着機とサーバーの間のやり取りを示した図である。
【図６３】サーバーで装置の製造番号、組み立てに使ったねじのＩＤ番号、電子部品につけられたＩＤ番号を管理するテーブルを示した図である。
【図６４】図６３のテーブルに電子部品につけられたＩＤ番号が書き込まれた状態を示す図である。
【図６５】図６４のテーブルにねじに付けられたＩＤ番号が書き込まれた状態を示す図である
【図６６】図６１のラックに組み立てられた装置のねじにつけられたＩＤ番号を読取るシステムを示した図である。
【図６７】図６６のリーダとサーバーの間のやり取りを示した図である。
【符号の説明】
【００６９】
１０２…アンテナ内蔵無線認識ＩＣチップ
２０２…アンテナ内蔵無線認識ＩＣチップ
２０４…内蔵アンテナ
３０２…アンテナ内蔵無線認識ＩＣチップ
３０４…糸
３０６…結び目
３０８…保護材
５０４…糸状のアンテナ内蔵無線タグ
６０２…糸
６０４…結び目作成装置
６０６、６０８…結び目
６１０、６０４…保護材装着装置
８０２…織り込みラベル
８０４…糸状のアンテナ内蔵無線タグ
【図１】
2008135034.tif 000003
【図２】
2008135034.tif 000004
【図３】
2008135034.tif 000005
【図４】
2008135034.tif 000006
【図５】
2008135034.tif 000007
【図６】
2008135034.tif 000008
【図７】
2008135034.tif 000009
【図８】
2008135034.tif 000010
【図９】
2008135034.tif 000011
【図１０】
2008135034.tif 000012
【図１１】
2008135034.tif 000013
【図１２】
2008135034.tif 000014
【図１３】
2008135034.tif 000015
【図１４】
2008135034.tif 000016
【図１５】
2008135034.tif 000017
【図１６】
2008135034.tif 000018
【図１７】
2008135034.tif 000019
【図１８】
2008135034.tif 000020
【図１９】
2008135034.tif 000021
【図２０】
2008135034.tif 000022
【図２１】
2008135034.tif 000023
【図２２】
2008135034.tif 000024
【図２３】
2008135034.tif 000025
【図２４】
2008135034.tif 000026
【図２５】
2008135034.tif 000027
【図２６】
2008135034.tif 000028
【図２７】
2008135034.tif 000029
【図２８】
2008135034.tif 000030
【図２９】
2008135034.tif 000031
【図３０】
2008135034.tif 000032
【図３１】
2008135034.tif 000033
【図３２】
2008135034.tif 000034
【図３３】
2008135034.tif 000035
【図３４】
2008135034.tif 000036
【図３５】
2008135034.tif 000037
【図３６】
2008135034.tif 000038
【図３７】
2008135034.tif 000039
【図３８】
2008135034.tif 000040
【図３９】
2008135034.tif 000041
【図４０】
2008135034.tif 000042
【図４１】
2008135034.tif 000043
【図４２】
2008135034.tif 000044
【図４３】
2008135034.tif 000045
【図４４】
2008135034.tif 000046
【図４５】
2008135034.tif 000047
【図４６】
2008135034.tif 000048
【図４７】
2008135034.tif 000049
【図４８】
2008135034.tif 000050
【図４９】
2008135034.tif 000051
【図５０】
2008135034.tif 000052
【図５１】
2008135034.tif 000053
【図５２】
2008135034.tif 000054
【図５３】
2008135034.tif 000055
【図５４】
2008135034.tif 000056
【図５５】
2008135034.tif 000057
【図５６】
2008135034.tif 000058
【図５７】
2008135034.tif 000059
【図５８】
2008135034.tif 000060
【図５９】
2008135034.tif 000061
【図６０】
2008135034.tif 000062
【図６１】
2008135034.tif 000063
【図６２】
2008135034.tif 000064
【図６３】
2008135034.tif 000065
【図６４】
2008135034.tif 000066
【図６５】
2008135034.tif 000067
【図６６】
2008135034.tif 000068
【図６７】
2008135034.tif 000069